(57)【要約】【課題】ベース部に立設された支柱を有し、被支持体を支持するスタンド本体と、支柱が挿通可能な開口が形成され、ベース部を覆って設けられるカバーとを備え、カバーに破損又は汚れが生じた場合に、スタンド本体が被支持体を支持した状態を保ったまま、カバーの交換を行うことができる支持スタンド、及びこの支持スタンドを備える表示装置を提供する。【解決手段】ベース部３０を覆うカバーを、開口の周縁の一部分を有する前側カバー２０ａ及び後側カバー２０ｂの２つのカバー部品に分割可能な構成とする。支柱１１、１１の上端が被支持体に固定され、下端がベース部３０にねじ５０、５０…を用いて固定された状態のままで、前側カバー２０ａ及び後側カバー２０ｂをスタンド本体１０ａの側方へ分割して取り外すことができる。【選択図】図３
2007206278.tif 000002
【特許請求の範囲】
【請求項１】
ベース部及び該ベース部に立設された支柱を有するスタンド本体と、前記支柱が挿通可能な開口が形成され、前記ベース部を覆うカバーとを備える支持スタンドにおいて、
前記カバーは、前記スタンド本体の側方へ接離可能であり、前記開口の周縁の一部分を有する複数のカバー部品に分割可能にしてあり、
前記カバー部品を前記スタンド本体にそれぞれ固定する固定手段を備えること
を特徴とする支持スタンド。
【請求項２】
前記固定手段は、
前記スタンド本体及び前記カバー部品の一方に設けられた第１の爪部と、
他方に設けられ、前記第１の爪部が係止される第１の被係止部と
を有する請求項１に記載の支持スタンド。
【請求項３】
前記スタンド本体は、前記カバー部品を支持するリブを有し、
前記固定手段は、
前記リブ及び前記カバー部品の一方に設けられた第２の爪部と、
他方に設けられ、前記第２の爪部が係止される第２の被係止部と
を有する請求項１又は請求項２に記載の支持スタンド。
【請求項４】
前記カバー部品の縁部分は、前記スタンド本体に固定された場合に上下に重なり合う重合部分を有し、
前記第２の爪部又は前記第２の被係止部は、上側に重なり合う前記カバー部品に設けてある請求項３に記載の支持スタンド。
【請求項５】
前記支柱は、前記ベース部にねじ止めしてある請求項１乃至請求項４のいずれか１つに記載の支持スタンド。
【請求項６】
請求項１乃至請求項５のいずれか１つに記載の支持スタンドと、
映像を表示し、前記支持スタンドに支持される表示部と
を備えることを特徴とする表示装置。
【発明の詳細な説明】
【技術分野】
【０００１】
本発明は、ベース部に立設された支柱により被支持体を支持する支持スタンド、及びこの支持スタンドにより映像を表示する表示部を支持する表示装置に関する。
【背景技術】
【０００２】
従来から、大型且つ薄型の表示装置として、液晶ディスプレイ及びプラズマディスプレイ等が普及している。これらの表示装置において、例えば液晶ディスプレイの場合には、表示面をなす液晶パネル、バックライト及びこれらの駆動回路が配された回路基板等は略矩形の板状をなす筐体内に収容されており、筐体の底面又は背面にスタンドが連結され、スタンドによって支持された状態で机上又は床上等に載置されることが多い。
【０００３】
筐体を支持するスタンドは、例えば机面又は床面等に接触して載置されるベース部と、このベース部に立設された支柱とを備え、支柱に筐体を連結して筐体を支持するようにしてある。また、スタンドにはデザイン性を向上させるために、スタンドのベース部を覆うカバーを備える場合がある。
【０００４】
特許文献１においては、液晶表示面を有する本体に連結される本体側ブラケットと、スタンドの一部をなすスタンド側ブラケットとにそれぞれ貫通孔を形成し、両貫通孔にボルトを挿通して固定することで、ボルトの軸部分を中心に本体側ブラケットをスタンド側ブラケットに対して回動可能とすると共に、本体側ブラケットに爪部を形成し、爪部に溝挿入阻止部材を取り付けることで、ブラケットの回動部分にユーザの指先が入り込むことを防止できる液晶表示装置が提案されている。この液晶表示装置においては、スタンド側ブラケットを支持する底面板金を覆い、スタンド側ブラケットが挿通可能な貫通孔が形成された上部カバーを、底面板金にビスを用いて固定するようにしてある。
【０００５】
特許文献２においては、正面に液晶表示面を有する本体の背面に、略Ｕ字型のスタンドが回動可能となるように、スタンドの両端部分を取り付けると共に、スタンドを任意の回動角度でロックするロック機構を設けた薄型表示装置が提案されている。これにより表示面の角度を簡単に調整でき、調整した角度が変化することがないように確実に保持できると共に、スタンドをキャリングハンドルとして利用して薄型表示装置を簡単に持ち運ぶことができるという利点がある。
【特許文献１】実用新案登録第３１０６１８３号公報
【特許文献２】特開２００５−２４２２６８号公報
【発明の開示】
【発明が解決しようとする課題】
【０００６】
近年、液晶ディスプレイ及びプラズマディスプレイ等の表示装置はより大型化しており、この表示装置を支持するためのスタンドは、安定した支持を行うために、十分な重量、及び表示部分とのバランスが取れた十分な大きさを有する必要がある。このため、スタンドが大型化し、表示装置の製造時及びユーザによる使用時に、スタンドが破損する可能性が高まる虞がある。この場合、特にスタンドのベース部がカバーに覆われているときには、スタンドの表面部分をなすカバーが破損する可能性が高く、また、スタンドのカバーは汚れが生じる可能性が高い。スタンドのカバーが破損した場合又は汚れが生じた場合等には、スタンドのカバーのみを交換することができる。しかし、従来の表示装置においては、液晶パネルを収容する筐体からスタンドを外し、その後にカバーの交換を行う必要があり、筐体からスタンドを外す際に、又はスタンドを外した筐体を机上又は床上等に載置する際に、表示装置の筐体又は表示面を破損する虞があった。
【０００７】
特許文献１に記載の液晶表示装置においては、上部カバーに形成された貫通孔にスタンド側ブラケットを挿通し、その後に上部カバーを底面板金にビスを用いて固定する構造であるため、上部カバーの交換を行う場合には、液晶表示面を有する本体からスタンドを取り外す必要がある。また、特許文献２に記載の薄型表示装置においては、一体的に形成された略Ｕ字型のスタンドによって液晶表示面を有する本体を支持する構成であるため、スタンドに破損又は汚れが生じた場合には、スタンドを本体から取り外し、スタンドすべてを交換する必要がある。このように、表示面を有する本体からスタンドを取り外す必要がある場合には、表示面が大型化して、本体が大型化するに従って、交換作業が困難になると共に、スタンドを取り外した本体を机上又は床上等に載置する際に破損する可能性が増すという問題があった。
【０００８】
また、特許文献１に記載の液晶表示装置においては、上部カバーを底面板金にビスを用いて固定する構造であるため、部品点数が多く、コストが高いという問題があった。
【０００９】
本発明は、斯かる事情に鑑みてなされたものであって、その目的とするところは、ベース部に立設された支柱が挿通可能な開口が形成され、ベース部を覆って設けられるカバーを、開口の周縁の一部分を有する複数のカバー部品に分割し、各カバー部品をベース部及び支柱を有するスタンド本体にそれぞれ固定する構成とすることにより、スタンド本体が被支持体を支持した状態を保ったまま、複数のカバー部品、即ちカバーをベース部から取り外して交換することができる支持スタンドを提供することにある。
【００１０】
また本発明の他の目的とするところは、スタンド本体又はカバー部品の一方に第１の爪部を設け、他方に第１の被係止部を設けて、第１の爪部が第１の被係止部によって係止される構成とすることにより、カバー部品をスタンド本体にねじ止めする場合と比較して、カバー部品を簡単にスタンド本体に固定することができ、部品点数を削減できる支持スタンドを提供することにある。
【００１１】
また本発明の他の目的とするところは、スタンド本体にカバー部品を支持するリブを設け、リブ又はカバー部品の一方に第２の爪部を設け、他方に第２の被係止部を設けて、第２の爪部が第２の被係止部によって係止される構成とすることにより、カバー部品をスタンド本体にねじ止めする場合と比較して、カバー部品を簡単にスタンド本体に固定することができ、部品点数を削減できる支持スタンドを提供することにある。
【００１２】
また本発明の他の目的とするところは、カバー部品の縁部分に、スタンド本体に固定された場合に上下に重なり合う重合部分をそれぞれ設け、カバー部品をスタンド本体に固定するための第２の爪部又は第２の被係止部を上側に重なり合うカバー部品に設ける構成とすることにより、より簡単にカバー部品をスタンド本体に固定することができる支持スタンドを提供することにある。
【００１３】
また本発明の他の目的とするところは、支柱をベース部にねじ止めする構成とすることにより、被支持体に連結される支柱を確実にベース部に固定することができる支持スタンドを提供することにある。
【００１４】
また本発明の他の目的とするところは、上述の支持スタンドを用いて、例えば液晶パネル、バックライト及びこれらを駆動する駆動回路が搭載された回路基板等を備える表示部を支持する構成とすることにより、表示部から支持スタンドを取り外すことなく、支持スタンドのカバーのみをスタンド本体から取り外して交換することができる表示装置を提供することにある。
【課題を解決するための手段】
【００１５】
本発明に係る支持スタンドは、ベース部及び該ベース部に立設された支柱を有するスタンド本体と、前記支柱が挿通可能な開口が形成され、前記ベース部を覆うカバーとを備える支持スタンドにおいて、前記カバーは、前記スタンド本体の側方へ接離可能であり、前記開口の周縁の一部分を有する複数のカバー部品に分割可能にしてあり、前記カバー部品を前記スタンド本体にそれぞれ固定する固定手段を備えることを特徴とする。
【００１６】
本発明においては、支柱が挿通する開口の周縁の一部分をそれぞれが有するように、ベース部を覆うカバーを複数のカバー部品に分割可能とする。カバー部品はそれぞれ固定手段によりスタンド本体に固定する。支柱の一端が被支持体に連結され、他端がベース部に固定された状態のままで、支柱を周囲から囲むようにして側方からカバー部品をスタンド本体に固定することができ、また、カバー部品を取り外すことができる。このため、被支持体をスタンド本体によって支持した状態で、カバー部品の交換が行える。
【００１７】
また、本発明に係る支持スタンドは、前記固定手段が、前記スタンド本体及び前記カバー部品の一方に設けられた第１の爪部と、他方に設けられ、前記第１の爪部が係止される第１の被係止部とを有することを特徴とする。
【００１８】
本発明においては、スタンド本体又はカバー部品の一方に設けられた可撓性を有する第１の爪部が、他方に設けられた第１の被係止部により係止されることで、カバー部品がベース部に固定される構成とする。カバー部品の固定にねじなどの他の部材を必要としないため、簡単な構成で固定できる。
【００１９】
また、本発明に係る支持スタンドは、前記スタンド本体が、前記カバー部品を支持するリブを有し、前記固定手段は、前記リブ及び前記カバー部品の一方に設けられた第２の爪部と、他方に設けられ、前記第２の爪部が係止される第２の被係止部とを有することを特徴とする。
【００２０】
本発明においては、スタンド本体にカバー部品を支持するリブを設け、リブ又はカバー部品の一方に設けられた可撓性を有する第２の爪部が、他方に設けられた第２の被係止部により係止されることで、カバー部品がベース部に固定される構成とする。カバー部品の固定にねじなどの他の部材を必要としないため、簡単な構成で固定できる。
【００２１】
また、本発明に係る支持スタンドは、前記カバー部品の縁部分が、前記スタンド本体に固定された場合に上下に重なり合う重合部分を有し、前記第２の爪部又は前記第２の被係止部は、上側に重なり合う前記カバー部品に設けてあることを特徴とする。
【００２２】
本発明においては、カバー部品の縁部分に、スタンド本体に固定された場合に上下に重なり合う重合部分をそれぞれ設け、第２の爪部又は第２の被係止部を上側に重なり合うカバー部品に設ける。下側に重なり合うカバー部品は、可撓性を有する第２の爪部及び第２の被係止部によってリブに係止された上側に重なり合うカバー部品により、重合部分にて押さえられることで固定されるため、第２の爪部又は第２の被係止部を設ける必要がない。
【００２３】
また、本発明に係る支持スタンドは、前記支柱が、前記ベース部にねじ止めしてあることを特徴とする。
【００２４】
本発明においては、支柱をベース部にねじ止めする。これにより、支柱が強固にベース部に固定されるため、支柱に連結される被支持体を確実に支持することができる。
【００２５】
また、本発明に係る表示装置は、上述のいずれか１つの支持スタンドと、映像を表示し、前記支持スタンドに支持される表示部とを備えることを特徴とする。
【００２６】
本発明においては、映像を表示する表示部を、上述の支持スタンドを用いて支持する。これにより、支柱の一端が表示装置の表示部に連結され、他端がベース部に固定された状態のままで、支柱を周囲から囲むようにしてカバー部品をスタンド本体に固定することができ、また、カバー部品を取り外すことができる。このため、表示部をスタンド本体によって支持した状態で、カバーの交換が行える。
【発明の効果】
【００２７】
本発明による場合は、ベース部に立設された支柱が挿通可能な開口が形成され、ベース部を覆って設けられるカバーを、開口の周縁の一部分を有する複数のカバー部品に分割し、各カバー部品をベース部及び支柱を有するスタンド本体にそれぞれ固定する構成とすることにより、支柱の一端が被支持体に連結され、他端がベース部に固定された状態のままで、支柱を周囲から囲むようにしてカバー部品をスタンド本体に固定することができ、また、カバー部品を取り外すことができるため、被支持体をスタンド本体によって支持した状態で、カバーの交換を行うことができる。よって、カバーの交換作業の作業性を向上することができると共に、作業時に被支持体を損傷する虞をなくすことができる。
【００２８】
また、本発明による場合は、スタンド本体又はカバー部品の一方に第１の爪部を設け、他方に第１の被係止部を設けて、第１の爪部が第１の被係止部によって係止される構成とすることにより、カバー部品の固定にねじなどの他の部材を必要としないため、カバー部品を簡単にベース部に固定することができ、また、部品点数を削減できる。よって、支持スタンドの製造工程を簡略化することができると共に、コストを削減することができる。
【００２９】
また、本発明による場合は、スタンド本体にカバー部品を支持するリブを設け、リブ又はカバー部品の一方に第２の爪部を設け、他方に第２の被係止部を設けて、第２の爪部が第２の被係止部によって係止される構成とすることにより、カバー部品の固定にねじなどの他の部材を必要としないため、カバー部品を簡単にベース部に固定することができ、また、部品点数を削減できる。よって、支持スタンドの製造工程を簡略化することができると共に、コストを削減することができる。
【００３０】
また、本発明による場合は、カバー部品の縁部分に、スタンド本体に固定された場合に上下に重なり合う重合部分をそれぞれ設け、カバー部品をスタンド本体に固定するための第２の爪部又は第２の被係止部を、上側に重なり合うカバー部品に設ける構成とすることにより、下側に重なり合うカバー部品は、可撓性を有する第２の爪部及び第２の被係止部によってリブに係止された上側に重なり合うカバー部品により、重合部分にて押さえられることで固定されるため、第２の爪部又は第２の被係止部を設ける必要がなく、より簡単にカバー部品をベース部に固定することができるため、支持スタンドの製造工程を簡略化することができる。
【００３１】
また、本発明による場合は、支柱をベース部にねじ止めする構成とすることにより、支柱が強固にベース部に固定され、支柱に連結される被支持体を確実に支持することができるため、支持スタンドによる支持構造の信頼性を高めることができる。
【００３２】
また、本発明による場合は、上述の支持スタンドを用いて、映像を表示する表示部を支持する構成とすることにより、支柱の一端が表示部に連結され、他端がベース部に固定された状態のままで、支柱を周囲から囲むようにしてカバー部品をスタンド本体に固定することができ、また、カバー部品を取り外すことができるため、表示部をスタンド本体によって支持した状態で、カバーの交換を行うことができる。よって、カバーの交換作業の作業性を向上することができると共に、作業時に表示装置の筐体及び表示面等を損傷する虞をなくすことができる。
【発明を実施するための最良の形態】
【００３３】
以下、本発明をその実施の形態を示す図面に基づき具体的に説明する。図１は、本発明に係る表示装置の構成を示す斜視図である。図において１は、表示装置の本体部であり、略長方形の板状をなす筐体３の前面に略長方形の液晶表示面２が配設されている。筐体３内には、液晶表示面２をなす液晶パネル、光源をなすバックライド（図示せず）、並びにこれらを駆動する駆動回路及びテレビ放送を受信する受信回路等の電気回路が搭載された回路基板（図示せず）等が収容されており、公共のテレビ放送を受信して映像を液晶表示面２に表示することができるようにしてある。
【００３４】
表示装置の本体部１は、ベース部３０（図３にて図示する）及びベース部３０に立設された２つの支柱１１、１１を有するスタンド本体１０ａにカバー２０を固定してなるスタンド１０により支持されて、机上又は床上等に載置されるようにしてある。スタンド１０は、本体部１の筐体３の後ろ面に設けられた図示しないスタンド固定部にねじ止めされて固定するようにしてあり、表示装置を例えば壁掛け形式で使用する場合にはスタンド１０を取り外すことができるようにしてある。
【００３５】
図２は、本発明に係る表示装置のスタンド１０の構成を示す斜視図であり、図３は、本発明に係る表示装置のスタンド１０の構成を示す分解斜視図である。図４は、本発明に係る表示装置のスタンド１０のベース部３０の構成を示す拡大斜視図である。また、図５は、図２のＶ−Ｖ線による断面図であり、図６は、図２のＶＩ−ＶＩ線による断面図である。
【００３６】
スタンド１０は、下面が机上又は床上等に対する載置面をなす板状のベース部３０と、ベース部３０の上面に立設された２つの支柱１１、１１とを有するスタンド本体１０ａを備えている。なお、ベース部３０及び支柱１１、１１は金属製である。ベース部３０は、支柱１１、１１が支持する本体部１の左右方向に長い板状の主部３０ａと、主部３０ａの長手方向の両端の前側面からそれぞれ前方へ延出する前方延出部３０ｂ、３０ｂと、主部３０ａの長手方向の両端の後側面からそれぞれ後方へ延出する後方延出部３０ｃ、３０ｃとを有し、平面視が略Ｈ字型をなしている。ただし、２つの前方延出部３０ｂ、３０ｂは、延出方向（前方）へ向けて間隔が広がるように延出し、また、２つの後方延出部３０ｃ、３０ｃは、延出方向（後方）へ向けて間隔が狭まるように延出してある。また、前方延出部３０ｂ、３０ｂ及び後方延出部３０ｃ、３０ｃの下面には、クッションゴム３６（図６にて図示する）がそれぞれ着設されており、表示装置が載置される机上又は床上等を傷つけることを防止している。
【００３７】
支柱１１、１１は略円柱形をなしており、一端（上側端）には本体部１の筐体３の背面に設けられたスタンド固定部に形成された嵌合穴（図示せず）に挿入されて嵌合する棒状突起１２、１２が、軸心が支柱１１、１１の軸心に略一致するように突出して設けられている。棒状突起１２、１２の後ろ側には図示しないねじ穴が形成されており、筐体３のスタンド固定部の嵌合穴に挿入された棒状突起１２、１２は、図示しないねじにより筐体３のスタンド固定部に固定されるようにしてある。また、支柱１１、１１の周面の一部（後側）には、軸心方向に長い凹みが形成してあり、支柱１１、１１をベース部３０に固定する場合に、支柱１１、１１の前後の向きを合わせやすくしてある。
【００３８】
ベース部３０の上面には、支柱１１、１１を固定するための支柱固定部３１、３１が形成されている。支柱固定部３１、３１は、平面視が一部に凹みを持たせた略円形をなす凹部であり、支柱１１、１１の他端（下側端）に嵌合するようにしてある。このとき、支柱１１、１１に形成された凹みと、支柱固定部３１、３１の凹みとが一致するようにしてあるため、支柱１１、１１の前後の向きを簡単に合わせることができるようにしてある。また、支柱固定部３１、３１には５つの貫通孔３２、３２…がそれぞれ形成され、支柱１１、１１の他端（下側端）の端面には５つのねじ穴（図示せず）がそれぞれ形成されており、支柱１１、１１を支柱固定部３１、３１に嵌合させた場合に、支柱１１、１１のねじ穴と支柱固定部３１、３１の貫通孔３２、３２…との位置が一致するようにしてある。これにより、ベース部３０の下面側からねじ５０、５０…を、貫通孔３２、３２…を通して支柱１１、１１のねじ穴に螺合させることで、支柱１１、１１をベース部３０に固定することができるようにしてある。
【００３９】
また、スタンド１０は、ベース部３０の上面及び側面を覆う合成樹脂製のカバー２０を備えている。カバー２０は、平面視がベース部３０と略同形でサイズが若干大きい上面部分と、上面部分の周縁に沿って設けられた周壁部分とを有しており、カバー２０の上面部分がベース部３０の上面を覆い、カバー２０の周壁部分がベース部３０の側面を覆うことによって、ベース部３０は下面以外が外部に露出しないようにしてある。また、カバー２０の上面部分には２つの開口２１、２１が形成されており、ベース部３０に固定された２つの支柱１１、１１が開口２１、２１を通して立設されるようにしてある。
【００４０】
カバー２０は、表示装置の左右方向に形成された分割線２２により、前後に２つの部品、前側カバー２０ａ及び後側カバー２０ｂに分割することができるようにしてある。分割線２２はカバー２０の開口２１、２１を横切るようにして設けられており、カバー２０を前側カバー２０ａ及び後側カバー２０ｂの２つに分割した場合には、略円形の開口２１、２１もまた前後に分割されて、前側カバー２０ａの略半円形の切り欠き２１ａ、２１ａ及び後側カバー２０ｂの略半円形の切り欠き２１ｂ、２１ｂとなるようにしてある。これにより、支柱１１、１１の上端に本体部１が固定された状態であっても、前側カバー２０ａ及び後側カバー２０ｂをスタンド本体１０ａの側方へスライドさせて接離することができるようにしてある。
【００４１】
ベース部３０の上面には、略長方形の板状をなす複数のリブ３３、３３…が、ベース部３０の主部３０ａの長手方向、即ちスタンド１０が支持する本体部１の左右方向に長く、所定の間隔を空けて略平行に突設されており、リブ３３、３３…がベース部３０を覆うカバー２０の下面に当接してカバー２０を支持するようにしてある。
【００４２】
カバー２０は、前側カバー２０ａ及び後側カバー２０ｂがベース部３０を覆う場合に、前側カバー２０ａ及び後側カバー２０ｂの接合部分にて互いに重なり合う重合部分２４が設けてあり、これにより分割された前側カバー２０ａ及び後側カバー２０ｂにてベース部３０を隙間なく覆うことができるようにしてある。前側カバー２０ａの後側カバー２０ｂに重なる部分２４ａは、前側カバー２０ａの他の部分より厚みが略半分程度になるように、ベース部３０を覆う面（下面）が凹ませてあり、また同様にして、後側カバー２０ｂの前側カバー２０ａに重なる部分２４ｂは、後側カバー２０ｂの他の部分より厚みが略半分程度になるように、ベース部３０を覆う面の反対面（上面）が凹ませてある。よって、重合部分２４では、前側カバー２０ａが後側カバー２０ｂの上に重なり、重合部分２４に凹凸が生じることなく、カバー２０がベース部３０を覆うことができるようにしてある。
【００４３】
なお、カバー２０の厚みが薄く、重合部分２４にて前側カバー２０ａ及び後側カバー２０ｂをそれぞれ凹ませて厚みを略半分程度とすることが困難な場合、前側カバー２０ａ及び後側カバー２０ｂの厚みを略同一とし、前側カバー２０ａ又は後側カバー２０ｂのいずれか一方の下面に、他方へ向けて延出する板状部分を設け、一方に設けられた板状部分と他方の縁部分とが重なり合うことで重合部分２４を構成してもよい。この場合、重合部分２４の下面に当接するリブ３３は、他のリブ３３、３３…より板状部分の厚みだけ高さを低く形成する。
【００４４】
カバー２０の周壁部分の縁には、周壁部分の内側（カバー２０がベース部３０を覆った場合のベース部３０側）へ向けて、複数の第１の爪部２３、２３…が突設されている。また、ベース部３０の周側面には、カバー２０がベース部３０を覆った場合に第１の爪部２３、２３…に対向する位置に、第１の爪部２３、２３…に係合する凹部３５、３５…が形成されており、第１の爪部２３、２３…が凹部３５、３５…に係止されることによって、ベース部３０を覆うカバー２０が固定されるようにしてある。
【００４５】
また、カバー２０がベース部３０を覆った場合に、カバー２０の重合部分２４に最も近接するリブ３３には、長手方向の略中央及び長手方向の両端近傍の３箇所に、略矩形の貫通孔であるスリット３４、３４、３４が形成されている。前側カバー２０ａの後側カバー２０ｂに重なる部分２４ａ近傍の下面には、ベース部３０のスリット３４、３４、３４に係合するための可撓性を有する３つの第２の爪部２５、２５、２５（図５及び図６に１つずつ図示する）が、ベース部３０のスリット３４、３４、３４に対応する位置に、延出するようにして設けてあり、前側カバー２０ａでベース部３０の前部分を覆った場合に、第２の爪部２５、２５、２５が撓んだ状態でスリット３４、３４、３４に係止されるようにしてある。これにより、前側カバー２０ａは下方向に付勢され、ベース部３０を覆った状態で強固に固定されると共に、後側カバー２０ｂが前側カバー２０ａ及びリブ３３により挟持されて強固に固定されるようにしてある。
【００４６】
スタンド１０のカバー２０に破損又は汚れが発生し、カバー２０を交換する必要が生じた場合には、例えば表示装置の本体部１がスタンド１０により支持されて机上又は床上等に載置された状態のまま、前側カバー２０ａを表示装置の側方（前方）へスライドさせて、凹部３５による第１の爪部２３の係止を解除し、またスリット３４による第２の爪部２５の係止を解除することで前側カバー２０ａをベース部３０から取り外し、更に後側カバー２０ｂを表示装置の側方（後方）へスライドさせて、凹部３５による第１の爪部２３の係止を解除することで後側カバー２０ｂをベース部３０から取り外すことができる。その後、新たな前側カバー２０ａ及び後側カバー２０ｂを、上述の取り外し手順と逆の手順でベース部３０に取り付けることにより、カバー２０の交換を行うことができる。
【００４７】
以上の構成の表示装置においては、ベース部３０を覆うカバー２０が、分割線２２にて前後２つに分割することができる構成とすることによって、スタンド１０が表示装置の本体部１を支持した状態を保ったまま、前側カバー２０ａ及び後側カバー２０ｂを取り外すことができるため、カバー２０の交換作業を簡単に行うことができる。また、カバー２０及びベース部３０の固定を、凹部３５による第１の爪部２３の係止と、スリット３４による第２の爪部２５の係止とにより行う構成とすることによって、固定のためにねじなどの他の部材を必要としないため、スタンド１０の部品コストを削減できると共に、固定を簡単に行うことができ、製造コストを削減することができる。また、ベース部３０及び支柱１１、１１がねじ５０、５０…により固定され、支柱１１、１１及び筐体３がねじにより固定される構成とすることにより、本体部１をスタンド１０が確実に支持することができるため、表示装置の安全性及び信頼性を高めることができる。
【００４８】
なお、本実施の形態においては、表示装置の本体部１を２つの支柱１１、１１が支持する構成としたが、これに限るものではなく、１つの支柱又は３つ以上の支柱により本体部を支持する構成としてもよい。また、支柱１１、１１及びベース部３０のデザインは図２に示すデザインに限るものではない。また、ベース部３０及び支柱１１、１１を金属製としたが、これに限るものではなく、合成樹脂製又は木製等の他の材料によるものであってもよい。同様に、カバー２０を合成樹脂製としたが、これに限るものではなく、金属製又は木製等の他の材料によるものであってもよい。ただし、カバー２０に設けられた第１の爪部２３及び第２の爪部２５は可撓性を有するものであることが望ましい。
【００４９】
また、カバー２０を前側カバー２０ａ及び後側カバー２０ｂの２つに分割する構成としたが、これに限るものではなく、３つ以上に分割する構成としてもよい。また、カバー２０に第１の爪部２３及び第２の爪部２５を設け、ベース部３０に凹部３５及びスリット３４を設ける構成としたが、これに限るものではなく、ベース部に爪部を設け、カバーにこの爪部に係合する凹部又はスリット等を設ける構成としてもよく、また、支柱に第１の爪部及び第２の爪部、又は爪部に係合する凹部及びスリット等を設ける構成としてもよい。また、第２の爪部２５を前側カバー２０ａにのみ設ける構成としたが、これに限るものではなく、後側カバーにのみ設ける構成であってもよく、また、前側カバー及び後側カバーの両方に設ける構成であってもよい。また、前側カバー２０ａの第２の爪部２５を係止するスリット３４を、カバー２０を支持するリブ３３に形成する構成としたが、これに限るものではなく、リブ以外の部分に形成してもよく、例えばスリットが形成された固定専用の突起をベース部の上面に設ける構成としてもよい。
【００５０】
また、重合部分にて前側カバー及び後側カバーが接触する部分に、例えば凹凸を形成し、それぞれの凹凸が嵌合しあう構成として、後側カバーが前側カバー及びリブによって挟持された状態をより強固に保つことができるようにしてもよい。また、カバー２０を第１の爪部２３及び第２の爪部２５によりベース部３０に固定する構成としたが、ねじなどの他の部材を用いてベース部に固定する構成としてもよい。ただし、この場合には、スタンドが本体部を支持した状態で前側カバー及び後側カバーの交換を行えるように、カバーをベース部の上面又は周側面にねじ止めする構成とすることが望ましい。また、支柱１１、１１をベース部３０にねじ５０、５０…を用いて固定する構成としたが、これに限るものではなく、他の手段を用いて固定してもよく、また、支柱及びベース部を一体成型としてもよい。
【図面の簡単な説明】
【００５１】
【図１】本発明に係る表示装置の構成を示す斜視図である。
【図２】本発明に係る表示装置のスタンドの構成を示す斜視図である。
【図３】本発明に係る表示装置のスタンドの構成を示す分解斜視図である。
【図４】本発明に係る表示装置のスタンドのベース部の構成を示す拡大斜視図である。
【図５】図２のＶ−Ｖ線による断面図である。
【図６】図２のＶＩ−ＶＩ線による断面図である。
【符号の説明】
【００５２】
１  本体部
２  液晶表示面
３  筐体
１０  スタンド（支持スタンド）
１０ａ  スタンド本体
１１  支柱
２０  カバー
２０ａ  前側カバー（カバー部品）
２０ｂ  後側カバー（カバー部品）
２１  開口
２２  分割線
２３  第１の爪部
２４  重合部分
２５  第２の爪部
３０  ベース部
３３  リブ
３４  スリット（第２の被係止部）
３５  凹部（第１の被係止部）
５０  ねじ
【図１】
2007206278.tif 000003
【図２】
2007206278.tif 000004
【図３】
2007206278.tif 000005
【図４】
2007206278.tif 000006
【図５】
2007206278.tif 000007
【図６】
2007206278.tif 000008